(57)【要約】【課題】  除塵用のライナとフレキシブルな記録ディスクメディアの外周縁部の接触によって生じる摩擦を小さくし、記録ディスクメディアを回転させるトルクを低減することによって、記録ディスクメディアを回転させるモータの負担を低減する。【解決手段】  記録ディスクカートリッジ１０内の記録ディスクメディア１に対面する位置に設けられたライナ８１の外周縁部を、記録ディスクメディアの外周縁部に掛からない形状にする。または、ライナ８１の外周縁部に滑り部材を設ける。または、ライナ８１の外周縁部を低摩擦化処理する。【選択図】      図２
2006059398.tif 000002
【特許請求の範囲】
【請求項１】
少なくとも１枚の記録ディスクメディアがカートリッジケースに収容された記録ディスクカートリッジであって、
前記カートリッジケースの前記記録ディスクメディアが対面する位置に除塵用のライナが設けられ、
前記ライナは、前記記録ディスクメディアの外周縁部に掛からない形状に形成されたことを特徴とする記録ディスクカートリッジ。
【請求項２】
少なくとも前記記録ディスクメディアの湾曲内面側の前記ライナが前記記録ディスクメディアの外周縁部に掛からない形状に形成されたことを特徴とする請求項１に記載の記録ディスクカートリッジ。
【請求項３】
少なくとも１枚の記録ディスクメディアがカートリッジケースに収容された記録ディスクカートリッジであって、
前記カートリッジケースの前記記録ディスクメディアが対面する位置に除塵用のライナが設けられ、前記記録ディスクメディアの外周縁部に対面する位置の少なくとも一部には、滑り部材が設けられたことを特徴とする記録ディスクカートリッジ。
【請求項４】
少なくとも前記記録ディスクメディアの湾曲内面側で前記記録ディスクメディアが対面する位置に前記滑り部材が設けられたことを特徴とする請求項３に記載の記録ディスクカートリッジ。
【請求項５】
少なくとも１枚の記録ディスクメディアがカートリッジケースに収容された記録ディスクカートリッジであって、
前記カートリッジケースの前記記録ディスクメディアが対面する位置に除塵用のライナが設けられ、
前記ライナの前記記録ディスクメディアの外周縁部に対面する位置の少なくとも一部は、低摩擦化処理されたことを特徴とする記録ディスクカートリッジ。
【請求項６】
少なくとも前記記録ディスクメディアの湾曲内面側で前記記録ディスクメディアが対面する位置が低摩擦化処理されたことを特徴とする請求項５に記載の記録ディスクカートリッジ。
【請求項７】
前記記録ディスクメディアは、複数備えられ、
前記カートリッジケースは、複数の前記記録ディスクメディアを仕切るインナプレートを有して構成され、
このインナプレートの前記記録ディスクメディアが対面する位置に前記ライナが設けられたことを特徴とする請求項１から請求項６のいずれか１項に記載の記録ディスクカートリッジ。
【発明の詳細な説明】
【技術分野】
【０００１】
本発明は、カートリッジケース内に記録ディスクメディア、例えば、磁気ディスクメディアを収容してなり、この記録ディスクメディアを回転させて記録再生に利用する記録ディスクカートリッジに関し、特に、カートリッジケース内に除塵用のライナを設けた構造の記録ディスクカートリッジに関する。
【背景技術】
【０００２】
従来、ポリエステルシートなどのフレキシブルな素材からなる円盤状の支持体の両面に磁性層を形成したフレキシブルディスクを、例えば上下のハーフを接合してなり、かつ、磁気ヘッドの挿入用の窓部を有する、カートリッジケース内に回転自在に収容してなる記録ディスクカートリッジが開示されている。この種の記録ディスクカートリッジは、その取扱いの容易性と低コストといった利点から、主として、コンピュータ用の記録媒体として用いられている。
【０００３】
ところで、記録ディスクカートリッジのカートリッジケース内に塵埃が入ると、この塵埃がデータの記録・再生に悪影響を及ぼすといった問題があった。そこで、カートリッジケース内の磁気ディスクメディアに対面する位置に、磁気ディスクメディアに付着した塵埃等の付着物を除去するライナを設けた構造が広く採用されている（たとえば、特許文献１参照）。
【特許文献１】特開２００４−５４９９２号公報
【発明の開示】
【発明が解決しようとする課題】
【０００４】
このような磁気ディスクメディアは、製造過程において、まず、シート状の素材として製造され、それを円盤状に打ち抜くことで製造される。そのため、磁気ディスクメディアが、若干湾曲している場合がある。このような場合、図１３に示す記録ディスクカートリッジの断面図のように、磁気ディスクメディアがライナに摺接する際、特に磁気ディスクメディアの湾曲内面側の外周縁で強く接してしまう。そのため、ライナと磁気ディスクメディア間の摩擦がさらに大きくなり、磁気ディスクメディアを回転させるために必要なモータのトルクがさらに大きくなってしまう。その結果、モータの負担が増大してしまう、といった問題があった。
【０００５】
また、カートリッジ内の磁気ディスクメディアの枚数を増やした場合、モータのトルクはさらに大きくなり、それに伴いモータの負担もさらに増大する、といった問題が生じる。
【０００６】
このような背景に鑑みて本発明がなされたのであり、本発明は、磁気ディスクメディアを回転させるために必要なモータのトルクを低減した記録ディスクカートリッジを提供することを目的とする。
【課題を解決するための手段】
【０００７】
課題を解決するための手段として、請求項１に係る発明は、少なくとも１枚の記録ディスクメディアがカートリッジケースに収容された記録ディスクカートリッジであって、カートリッジケースの記録ディスクメディアが対面する位置に除塵用のライナが設けられ、ライナは、記録ディスクメディアの外周縁部に掛からない形状に形成されたことを特徴とする記録ディスクカートリッジである。
【０００８】
また、請求項２に係る発明は、少なくとも記録ディスクメディアの湾曲内面側のライナが記録ディスクメディアの外周縁部に掛からない形状に形成されたことを特徴とする請求項１に記載の記録ディスクカートリッジである。
【０００９】
また、請求項３に係る発明は、少なくとも１枚の記録ディスクメディアがカートリッジケースに収容された記録ディスクカートリッジであって、カートリッジケースの記録ディスクメディアが対面する位置に除塵用のライナが設けられ、記録ディスクメディアの外周縁部に対面する位置の少なくとも一部には、滑り部材が設けられたことを特徴とする記録ディスクカートリッジである。
【００１０】
また、請求項４に係る発明は、少なくとも記録ディスクメディアの湾曲内面側で記録ディスクメディアが対面する位置に滑り部材が設けられたことを特徴とする請求項３に記載の記録ディスクカートリッジである。
【００１１】
また、請求項５に係る発明は、少なくとも１枚の記録ディスクメディアがカートリッジケースに収容された記録ディスクカートリッジであって、カートリッジケースの記録ディスクメディアが対面する位置に除塵用のライナが設けられ、ライナの記録ディスクメディアの外周縁部に対面する位置の少なくとも一部は、低摩擦化処理されたことを特徴とする記録ディスクカートリッジである。
【００１２】
また、請求項６に係る発明は、少なくとも記録ディスクメディアの湾曲内面側で記録ディスクメディアが対面する位置が低摩擦化処理されたことを特徴とする請求項５に記載の記録ディスクカートリッジである。
【００１３】
また、請求項７に係る発明は、記録ディスクメディアは、複数備えられ、カートリッジケースは、複数の記録ディスクメディアを仕切るインナプレートを有して構成され、このインナプレートの記録ディスクメディアが対面する位置にライナが設けられたことを特徴とする請求項１から請求項６のいずれか１項に記載の記録ディスクカートリッジである。
【発明の効果】
【００１４】
請求項１に係る発明によれば、ライナが磁気ディスクメディアの除塵を行う際、ライナの外周縁部が磁気ディスクメディアの外周縁部と接触しない。その結果、磁気ディスクメディアを回転させるためのトルクを低減させることができる。
【００１５】
請求項２に係る発明によれば、ライナが磁気ディスクメディアの除塵を行う際、ライナの外周縁部が磁気ディスクメディアの製造過程において生じた磁気ディスクメディアの湾曲内面の外周縁部などと接触しない。それによって、磁気ディスクメディア回転時において、ライナと磁気ディスクメディア間の摩擦を小さくすることができる。その結果、磁気ディスクメディアを回転させるためのトルクを低減させることができる。
【００１６】
請求項３および請求項５に係る発明によれば、ライナの外周縁部と磁気ディスクメディアの外周縁部との摩擦を小さくした。結果、磁気ディスクメディアを回転させるためのトルクを低減させることができる。
【００１７】
請求項４および請求項６に係る発明によれば、ライナの外周縁部と磁気ディスクメディアの製造過程において生じた磁気ディスクメディアの湾曲内面の外周縁部とライナとの摩擦を小さくした。それによって、磁気ディスクメディアの回転時において、ライナと磁気ディスクメディアとの間の摩擦を小さくすることができる。その結果、磁気ディスクメディアを回転させるためのトルクを低減させることができる。
【００１８】
請求項７に係る発明によれば、インナプレートに設けられたライナの外周縁部が磁気ディスクメディアの外周縁部と接触することなく、あるいは、摩擦が小さい状態で適宜摺接できる。それによって、磁気ディスクメディアの湾曲内面の外周縁部などが原因となって生じるライナと磁気ディスクメディアとの間の摩擦を低減させることができる。その結果、磁気ディスクメディアを回転させるためのトルクを低減させることができる。
【発明を実施するための最良の形態】
【００１９】
［第１の実施形態］
次に、本発明の実施形態について、適宜図面を参照しながら詳細に説明する。本実施形態においては、記録ディスクカートリッジの一例として磁気ディスクメディアを３枚収容する記録ディスクカートリッジを採用した場合について説明する。なお、本実施形態では、記録ディスクカートリッジの一例として、磁気ディスクメディアを収容してなる磁気ディスクカートリッジの例を示す。
【００２０】
図１は、第１の実施形態に係る記録ディスクカートリッジを示す分解斜視図であり、図２は、磁気ディスクカートリッジにおける後側の部分の要部拡大断面図であり、図３は、磁気ディスクカートリッジの下面図である、図４は、図１の後側ハーフを示す分解斜視図であり、図５は、図１の前側ハーフを示す分解斜視図であり、図６は、カートリッジケース内に設けるライナを示す図であり、半リング状の第一ライナを示す斜視図（ａ）と、略扇状の第二ライナを示す斜視図（ｂ）である。
【００２１】
図１に示すように、磁気ディスクカートリッジ１０は、三枚の磁気ディスクメディア１と、これらの磁気ディスクメディア１を一体に連結する回転体２と、磁気ディスクメディア１および回転体２を収容するカートリッジケース３およびシャッタ４とで主に構成されている。カートリッジケース３は、単にケース３ともいう。
【００２２】
磁気ディスクメディア１は、ポリエチレンテレフタレート（ＰＥＴ）、ポリエチレンナフタレート（ＰＥＮ）等からなる可撓性支持体の両面に磁性体層が形成された、いわゆるフレキシブルディスクであり、その中央部と外周縁部がそれぞれ非記録領域（データが記録されない領域）１ａ，１ｂとされ、これらの領域を除く円環状に記録領域１ｃが設定されている。なお、本実施形態においては、これらの非記録領域１ａ，１ｂおよび記録領域１ｃは、磁気ディスクメディア１の両面に設定されている。また、磁気ディスクメディア１の中央部には、円形の取付孔１１（図２参照）が形成されている。
【００２３】
図２に示すように、回転体２は、三枚の磁気ディスクメディア１を所定の間隔で一体に連結させるものであり、主に、ハブ２１と、二つのスペーサリング２２と、クランパ２３とで構成されている。ハブ２１は、略有底円筒状に形成された磁性部材であり、主に、略円筒状に形成される筒部２１ａと、この筒部２１ａの下端側に形成される底部２１ｂと、この底部２１ｂの外周側から外方に向かって延びるフランジ２１ｃとで構成されている。また、ハブ２１の底部２１ｂには、図示せぬ記録再生装置内の磁気ディスクドライブのスピンドルに係合させるための略四角形状の中心孔２１ｄ（図３参照）が形成されている。すなわち、ハブ２１は、その底部２１ｂの中心孔２１ｄに前記磁気ディスクドライブのスピンドルの略四角形状の軸が係合され、かつ、ハブ２１の下面全体が前記磁気ディスクドライブのスピンドルによって磁気的に吸着されることによって、前記磁気ディスクドライブのスピンドルとともに回転するように構成されている。
【００２４】
スペーサリング２２は、三枚の磁気ディスクメディア１をそれぞれ所定の間隔を空けて保持するために、各磁気ディスクメディア１の間に配設されるリング状の部材である。
【００２５】
クランパ２３は、略有底円筒状に形成される部材であり、主に、略円筒状に形成される筒部２３ａと、この筒部２３ａの上端側に形成される底部２３ｂと、この底部２３ｂの外周側から外方に向かって延びるフランジ２３ｃとで構成されている。そして、クランパ２３の筒部２３ａは、ハブ２１の筒部２１ａの内周面に嵌合可能な大きさで形成されており、これにより、クランパ２３の筒部２３ａをハブ２１の筒部２１ａに嵌め込むと、クランパ２３のフランジ２３ｃとハブ２１のフランジ２１ｃとによって磁気ディスクメディア１およびスペーサリング２２が一体に固定されるようになっている。具体的には、ハブ２１のフランジ２１ｃに磁気ディスクメディア１を一枚セットした後に、スペーサリング２２を介して二枚目と三枚目の磁気ディスクメディア１を重ねていき、最後にクランパ２３をハブ２１に嵌め込むことで、クランパ２３のフランジ２３ｃとハブ２１のフランジ２１ｃとによって三枚の磁気ディスクメディア１が所定の間隔で一体に固定されるようになっている。
【００２６】
図１に示すように、ケース３は、回転体２によって一体に固定された三枚の磁気ディスクメディア１を収容するためのものであり、収容される磁気ディスクメディア１の中心を基準にして二つのハーフ５，６に分割されている。なお、以下の説明においては、ケース３のうちシャッタ４が取り付けられる側を前側と呼び、その反対側を後側と呼ぶこととし、さらに、前記した二つのハーフ５，６を、前側ハーフ５および後側ハーフ６とも呼ぶこととする。また、説明の便宜上、後側ハーフ６から説明することとする。
【００２７】
後側ハーフ６は、図４に示すように、上下に四分割した部品から構成されており、その下側の一段目から三段目を構成する同一形状の後側収容部６１と、三段目の後側収容部６１の上端に接合される平板状の後側上壁部６２とで主に構成されている。後側収容部６１は、矩形の平板の三辺に側壁を立設したトレー状の形状となっており、その底部６１ａの前端の中央部には、回転体２（図２および図３参照）の外径よりも大径となる半円状の逃がし部６１ｂが形成されている。そして、各後側収容部６１と後側上壁部６２とを重ねて接合することで、三枚の磁気ディスクメディア１の後側部分をそれぞれ収容するための三つの部屋が形成されるようになっている（図１参照）。なお、三つの後側収容部６１のうち二段目と三段目の後側収容部６１の底部６１ａが、特許請求の範囲にいう「複数の記録ディスクメディアを仕切るインナプレート」に相当している。
【００２８】
図１に示すように、前側ハーフ５には、その前部にシャッタ４を取り付けるための凹部５１が、上面５ａ、前面５ｂ、下面５ｃに渡って形成されている。この凹部５１には、その上面５１ａ、前面５１ｂ、下面５１ｃに渡って開口部５１ｄが形成されており、この開口部５１ｄを介して図示せぬ記録再生装置の複数の磁気ヘッドがケース３の内部の各磁気ディスクメディア１にアクセスすることが可能となっている。また、凹部５１の上面５１ａには、後記するシャッタ４の抜け止め用の係止爪４１を係止させるための係止用孔５１ｅが開口部５１ｄを挟んだ両側に形成されている。さらに、凹部５１の前面５１ｂには、後記するシャッタ４のスライド用のガイド爪４２を摺動自在に係合させるための溝状のスリット５１ｆと、シャッタ４を常時閉方向（図示手前側）に付勢するためのシャッタ閉塞用ばね７（図３参照）の一端部７１を収容し、かつ、図示せぬ係止部で係止するための係止穴５１ｇとが形成されている。
【００２９】
また、前側ハーフ５は、図５に示すように、複数に分割されて構成されている。詳しくは、下側の一段目を構成する第一収容部５２と、二段目を構成する第二収容部５３と、三段目を構成する第三収容部５４と、この第三収容部５４の上端に接合される前側上壁部５５とで主に構成されている。
【００３０】
第一収容部５２は、前記した後側収容部６１（図４参照）に対してほぼ前後対称となる形状に形成されており、その前壁５２ｃには、前記した凹部５１、開口部５１ｄ、スリット５１ｆ、係止穴５１ｇの下側半分を構成する形状部５２ｄが適宜形成されている。これに対し、略平板状となる前側上壁部５５の前端には、前記した凹部５１、開口部５１ｄ、スリット５１ｆ、係止穴５１ｇの上側半分を構成する形状部５５ｄ（係止用孔５１ｅの形状部分も含む）が適宜形成されている。
【００３１】
第二収容部５３は、前記した後側収容部６１（図４参照）に対してほぼ前後対称となる形状に形成されており、その底部５３ａに形成された半円状の逃がし部５３ｂから前方に向かって所定の幅の分割溝５３ｃが形成されることによって、実質、二部品に分かれて構成されている。また、第二収容部５３の前部は、第一収容部５２（または、前側上壁部５５）の前部に形成された前記形状部５２ｄから逃がすように所定形状に削り取られた形状となっている。なお、第三収容部５４は、第二収容部５３と同じ構造であるため、その説明を省略する。そして、このように第二収容部５３および第三収容部５４に分割溝５３ｃ，５４ｃが形成されることによって、前側ハーフ５の開口部５１ｄから挿入される図示せぬ複数の磁気ヘッドが磁気ディスクメディア１の記録領域１ｃ（図１参照）の内周縁まで良好に移動することが可能となっている。なお、前記した第二収容部５３の底部５３ａおよび第三収容部５４の底部５４ａが、特許請求の範囲にいう「複数の記録ディスクメディアを仕切るインナプレート」に相当している。
【００３２】
そして、前記したハーフ５，６を構成する各部品（５２〜５５、６１，６２）には、図６（ａ）に示すような半リング状の第一ライナ８１や、図６（ｂ）に示すような前記第一ライナ８１をほぼ半分に分割したような形状（第一ライナ８１の中心から円弧の先端にかかる部分を前記した分割溝５３ｃと同じ幅だけ取り除くことによって形成される略扇形の形状）の第二ライナ８２が適宜固着されている。具体的には、図５に示す前側ハーフ５を構成する部品のうち、第一収容部５２の底部５２ａの上面および前側上壁部５５の下面には、第一ライナ８１が固着され、第二収容部５３の底部５３ａの両面および第三収容部５４の底部５４ａの両面には、第二ライナ８２が固着されている。また、図４に示す後側ハーフ６を構成する部品のうち、一段目を構成する後側収容部６１の上面、二段目および三段目を構成する後側収容部６１の両面および後側上壁部６２の下面には、第一ライナ８１が固着されている。
【００３３】
ここで、前記ライナ８１，８２は、磁気ディスクメディア１に付着した塵埃を除去する機能を有している。また、各ライナ８１，８２は前記した磁気ディスクメディアの外周縁部、詳しくはその全周に掛からない形状に形成されている（図２および図３参照）。
【００３４】
なお、前記ライナ８１，８２が固着される前記した各面は、特許請求の範囲にいう「対面する位置」に相当している。この対面する位置を対向面ともいう。そして、このような対向面に相当する各面は、図２に示すように、後側上壁部６２の下面（図示せぬ前側上壁部５５の下面も含む）以外、全て磁気ディスクメディア１との距離が所定値となるまで近づけられた状態で形成されている。これにより、磁気ディスクメディア１と対向面とが離れて配置されることに起因して生じる磁気ディスクメディア１の回転に伴う負圧の発生が防止されることとなる。なお、前記対向面と磁気ディスクメディア１との距離は、０．５〜５（ｍｍ）程度にするのが望ましい。
【００３５】
図１に示すように、シャッタ４は、上壁４ａ、前壁４ｂ、下壁４ｃによって断面視略Ｕ字状に形成されており、これにより前側ハーフ５の凹部５１に嵌まり込んで左右にスライドする構造となっている。そして、シャッタ４の上壁４ａには、シャッタ４の抜け止めに寄与する二つの係止爪４１が切り曲げられて形成されており、これらの係止爪４１は、前側ハーフ５に形成された二つの係止用孔５１ｅによって前後方向のみにおいて係止され、かつ、左右方向においては摺動が許容されるようになっている。
【００３６】
また、シャッタ４の前壁４ｂには、シャッタ４のスライドに寄与するガイド爪４２が後方に向けて切り曲げられて形成されるとともに、その上端から下端にわたる範囲で開口部４３が形成されている。そして、前記したガイド爪４２が前側ハーフ５に形成されたスリット５１ｆに摺動自在に係合するとともに、シャッタ閉塞用ばね７の他端部７２と係合することによって、このシャッタ閉塞用ばね７でシャッタ４が常時閉方向（図示手前側）に付勢されるようになっている。
【００３７】
すなわち、シャッタ４は、シャッタ閉塞用ばね７によって閉方向側に押し付けられている状態においては、その前壁４ｂで前側ハーフ５の開口部５１ｄを塞ぎ、また、シャッタ閉塞用ばね７の付勢力に抗して開方向側の所定位置まで移動させた状態においては、その開口部４３が前側ハーフ５の開口部５１ｄと一致するように構成されている。なお、シャッタ閉塞用ばね７は、その基部７３が前側ハーフ５のスリット５１ｆから挿入されて前側ハーフ５内に収容され（図３参照）、かつ、その一端部７１が係止穴５１ｇ内に収容されるようになっており、その他端部７２（折り曲げられた部分）のみがスリット５１ｆ近傍の前面５１ｂに引っ掛かった状態でシャッタ４と係合するようになっている。
【００３８】
次に、磁気ディスクカートリッジ１０の作用について図２を参照して説明する。
磁気ディスクカートリッジ１０を図示せぬ記録再生装置内にセットすると、まず、この記録再生装置内の磁気ディスクドライブのスピンドルによって回転体２と一体に磁気ディスクメディア１が回転することとなる。このとき、各磁気ディスクメディア１は、近傍に設置された各ライナ８１（８２）と適宜摺接するため、各磁気ディスクメディア１の上面または下面に塵埃が付着した状態であっても、この塵埃がライナ８１によって除去されることとなる。
【００３９】
そして、このような各磁気ディスクメディア１の塵埃除去工程が終わって、各磁気ディスクメディア１が安定した回転状態となったときに、図示せぬ複数の磁気ヘッドを、図１に示す開口部５１ｄから挿入することによって、各磁気ヘッドによって各磁気ディスクメディア１の両面に対してデータが良好に記録・再生されることとなる。なお、このような記録・再生時においても、各磁気ディスクメディア１は適宜ライナ８１に摺接しているので、記録・再生時において塵埃が入ってきたとしても、その塵埃がライナ８１によって即座に除去されることとなる。
【００４０】
以上によれば、本実施形態において、次のような効果を得ることができる。
各磁気ディスクメディア１に付着した塵埃を、ケース３内のライナ８１，８２で除去することで、各磁気ディスクメディア１に対する記録ミスや再生ミスが起こらなくなるので、磁気ディスクカートリッジ１０の信頼性を向上させることができる。
【００４１】
また、各磁気ディスクメディア１を挟んで配設される対向面のうち少なくとも一つの対向面を磁気ディスクメディア１に近づけることで、磁気ディスクメディア１と対向面とが離れて配置されることに起因して生じる負圧の発生が防止されるので、回転する磁気ディスクメディア１の面を略平面状態に保つことができ、良好な記録・再生を実現することができる。
【００４２】
また、本発明の磁気ディスクカートリッジ１０を構成するライナ８１，８２は、磁気ディスクメディア１の外周縁部に掛からない形状に、具体的には、図２に示すように、ライナ８１（８２）の外形を、磁気ディスクメディア１の外形より小さく形成したものである。このように形成したことにより、磁気ディスクメディア１が回転する際、前記ライナ８１，８２の外周縁部が、磁気ディスクメディア１の湾曲内面などに摺接することがなくなる。その結果、ライナ８１，８２と磁気ディスクメディア１間の摩擦を小さくすることができ、磁気ディスクメディア１を回転させるために必要なモータのトルクを低減させることができる。
【００４３】
［第２の実施形態］
次に、本発明の第２の実施形態について説明する。図７は、第２の実施形態に係る磁気ディスクカートリッジにおける後側の部分の要部拡大断面図であり、図８は、第２の実施形態に係る磁気ディスクカートリッジの下面図である。なお、本実施形態の記録ディスクカートリッジの基本的な構成は、前記した第１の実施形態の記録ディスクカートリッジと共通するため、共通する部分については、同一の符号を付して説明を省略し、本実施形態の特徴的な部分であるライナについて説明することとする。
【００４４】
ライナ８１，８２は、磁気ディスクメディア１に付着した塵埃を除去する機能を有している。そして、図７に示すように、ライナ８１，８２の内周縁から外周縁までの長さは、磁気ディスクメディアの内周縁から外周縁までの長さと等しく、または大きく設定される。また、各ライナ８１，８２の外周縁部には、磁気ディスクメディア１との間の摩擦を小さくするような滑り部材８３を設けてある。滑り部材８３は、具体的には、例えば高密度ポリエチレン、ポリテトラフルオロエチレン等を貼付したものである。
【００４５】
以上のような構成によれば、本実施形態において、次のような効果を得ることができる。
磁気ディスクメディア１の回転時において、磁気ディスクメディア１の湾曲部がライナ８１，８２と摺接することにより生じるライナ８１，８２と磁気ディスクメディア１間の摩擦を低減させることができる。その結果、磁気ディスクメディア１を回転させるために必要なトルクを低減させることができる。
【００４６】
［第３の実施形態］
次に、本発明の第３の実施形態について説明する。図９は、第３の実施形態に係る磁気ディスクカートリッジにおける後側の部分の要部拡大断面図であり、図１０は、第３の実施形態に係る磁気ディスクカートリッジの下面図である。なお、本実施形態の記録ディスクカートリッジの基本的な構成は、前記した第１の実施形態および第２の実施形態の記録ディスクカートリッジと共通するため、共通する部分については、同一の符号を付して説明を省略し、本実施形態の特徴的な部分であるライナについて説明することとする。
【００４７】
ライナ８１，８２は、磁気ディスクメディア１に付着した塵埃を除去する機能を有している。図７に示すように、ライナ８１，８２の内周縁から外周縁までの長さは、磁気ディスクメディアの内周縁から外周縁までの長さと等しく、または大きく設定される。また、各ライナ８１，８２の外周縁部は、磁気ディスクメディア１との間の摩擦を小さくするような低摩擦化処理８４を施してある。低摩擦化処理８４は、具体的には、例えばライナ８１，８２の外周縁部を熱プレスして平滑化させる方法がある。
【００４８】
以上のような構成によれば、本実施形態において、次のような効果を得ることができる。
磁気ディスクメディア１の回転時において、磁気ディスクメディア１の湾曲部がライナ８１，８２と摺接することにより生じるライナ８１，８２と磁気ディスクメディア１間の摩擦を低減ことができ、磁気ディスクメディア１を回転させるために必要なトルクを低減させることができる。
【００４９】
以上、本発明は、前記実施形態に限定されず、様々な形態で利用することができる。
本実施形態では、磁気ディスクメディア１の数を三枚としたが、本発明はこれに限定されず、いくつであってもよい。
【００５０】
本実施形態では、磁気ディスクメディア１の両面に記録領域１ｃを設けたが、本発明はこれに限定されず、片面のみに記録領域を設けてもよい。
本実施形態では、シャッタ４をスライド式のものとしたが、本発明はこれに限定されず、例えばロータリ（回転）式のシャッタであってもよい。
【００５１】
本実施形態では、前側ハーフ５および後側ハーフ６を上下に四分割した構成としたが、本発明はこれに限定されず、例えば前側ハーフ５および後側ハーフ６を射出成型によってそれぞれ一体成型してもよい。また、ケース３を前後に分割する構成としたが、左右に分割する構成としてもよい。
【００５２】
本実施形態では、磁気ディスクカートリッジ１０内に設けられた全てのライナ８１、８２について、磁気ディスクメディア１との摩擦を低減させる対策を施したが、本発明はこれに限定されず、磁気ディスクカートリッジ１０内の一部のライナ８１，８２について、同様の対策を施してもよい。
【００５３】
本実施形態では、磁気ディスクメディア１の両面に対面する位置に、ライナ８１，８２が設けられているが、本発明はこれに限定されず、磁気ディスクメディア１の片面に対面する位置のみに、ライナ８１，８２を設けてもよい。
【００５４】
本実施形態では、ライナ８１，８２の形状を半リング状、あるいは、半リングをほぼ半分にした形状としたが、本発明はこれに限定されず、カートリッジケース３の構成にあわせて、例えば完全な円形、完全なリング、一部に切り欠きのあるリングなどにしてもよい。
【００５５】
本実施形態では、ライナ８１，８２の形状を半リング状、あるいは、半リングを略半分にした形状としたが、本発明はこれに限定されず、例えば図１０（ａ）に示すような四角形、図１０（ｂ），（ｃ）に示すような棒状でもよい。
【実施例】
【００５６】
次に、本発明の効果を確認した実施例について説明する。図１２は、本発明の実施例を示す図である。
【００５７】
本実施例において、使用した装置９０は、磁気ディスクメディア１をスピンドル９２に装着し、上プレート９１、下プレート９１’の磁気ディスクメディア１に対面する位置に円盤状のライナ８１’を設けたものである。磁気ディスクメディア１は湾曲しており、その湾曲内面は上向きとなっている。
【００５８】
この実施例において、ライナ８１’を形成する材料はホリングスワース＆ヴォース社（Ｈｏｌｌｉｎｇｓｗｏｒｔｈ＆Ｖｏｓｅ  Ｃｏｍｐａｎｙ）より販売されているＨｏｖｏｌｉｎｅｒ（登録商標）１１００であり、磁気ディスクメディア１の支持体を形成する材料は、ポリエチレンナフタレート（ＰＥＮ）である。そして、磁気ディスクメディア１の動作条件として、回転速度は３６７６ｒｐｍ、回転時間は１分とし、磁気ディスクメディア１の回転開始からトルクの値が安定する１分経過後のトルクを測定した。
【００５９】
この装置９０を用いて、下記に示す各条件下で、磁気ディスクメディア１を前記動作条件で回転させるのに必要なトルクを測った。
【００６０】
［実施例１］
上プレート９１側に設けられた円盤状のライナ８１’の半径を磁気ディスクメディア１よりも、半径を１．５ｍｍ小さくし、下プレート９１’側に設けられたライナ８１’の大きさは、磁気ディスクメディアよりも大きくした（図１０（ａ）参照）。
【００６１】
［実施例２］
上プレート９１側、下プレート９１’側両方に設けられた円盤状のライナ８１’の半径を磁気ディスクメディア１の半径よりも、１．５ｍｍ小さくした（図１０（ｂ）参照）
【００６２】
［比較例］
上プレート９１、下プレート９１’側両方に設けられた円盤状のライナ８１’の半径を、磁気ディスクメディア１の半径より大きくした（図１０（ｃ）参照）。なお、この比較例における磁気ディスクメディア１の直径は、４６．５ｍｍ、ライナ８１’の直径は５０ｍｍとした。
【００６３】
上記の各条件下で、磁気ディスクメディア１を回転させた時に、スピンドル９２にかかるトルクを調べた結果を、表１に示す。なお、表中のトルク低下率は、下記の計算方法により算出したものである。
【００６４】
トルク低下率（％）＝１００−（モータのトルク低下率を求めたい実施例のモータのトルク／比較例のモータのトルク）×１００
【００６５】
【表１】
2006059398.tif 000003
【００６６】
以上の結果より、ライナ８１の外縁部を、磁気ディスクメディア１の外縁部に掛からないようにすると、磁気ディスクメディア１を回転させるために必要なモータのトルクが減少し、図示せぬモータの負担が低減することが示された。
【図面の簡単な説明】
【００６７】
【図１】第１の実施形態に係る記録ディスクカートリッジを示す分解斜視図である。
【図２】第１の実施形態に係る磁気ディスクカートリッジにおける後側の部分の要部拡大断面図である。
【図３】第１の実施形態に係る磁気ディスクカートリッジの下面図である。
【図４】図１の後側ハーフを示す分解斜視図である。
【図５】図１の前側ハーフを示す分解斜視図である。
【図６】カートリッジケース内に設けるライナを示す図であり、半リング状の第一ライナを示す斜視図（ａ）と、略扇状の第二ライナを示す斜視図（ｂ）である。
【図７】第２の実施形態に係る磁気ディスクカートリッジにおける後側の部分の要部拡大断面図である。
【図８】第２の実施形態に係る磁気ディスクカートリッジの下面図である。
【図９】第３の実施形態に係る磁気ディスクカートリッジにおける後側の部分の要部拡大断面図である。
【図１０】第３の実施形態に係る磁気ディスクカートリッジの下面図である。
【図１１】第１〜第３の実施形態に係る変形例を示す図である。
【図１２】本発明の実施例を示す図である。
【図１３】従来技術における磁気ディスクカートリッジの断面図である。
【符号の説明】
【００６８】
１０    記録ディスクカートリッジ
１      磁気ディスクメディア
２      回転体
３      カートリッジケース
４      シャッタ
５      前側ハーフ
５２    第一収容部
５２ａ  底部
５３    第二収容部
５３ａ  底部
５４    第三収容部
５４ａ  底部
５５    前側上壁部
６      後側ハーフ
６１    後側収容部
６１ａ  底部
６２    後側上壁部
８１    第一ライナ
８２    第二ライナ
【図１】
2006059398.tif 000004
【図２】
2006059398.tif 000005
【図３】
2006059398.tif 000006
【図４】
2006059398.tif 000007
【図５】
2006059398.tif 000008
【図６】
2006059398.tif 000009
【図７】
2006059398.tif 000010
【図８】
2006059398.tif 000011
【図９】
2006059398.tif 000012
【図１０】
2006059398.tif 000013
【図１１】
2006059398.tif 000014
【図１２】
2006059398.tif 000015
【図１３】
2006059398.tif 000016